(57)【要約】【課題】振動減衰駆動装置を備えた日除けを提供する。【解決手段】  基礎部材上に配置され、間にテント幕シャフト（３）を回転可能に取り付ける２つの保持ブラケット（１）と、テント幕シャフト（３）上に巻き取られ、またそのシャフト（３）から解かれる日除けテント幕（４）と、テント幕シャフト（３）の中に組み込まれ、振動減衰するように保持ブラケット（１）の片方に取り付けられるテント幕シャフト回転用のモータ駆動装置（５）と、完全にテント幕シャフト（３）の内部でモータ駆動装置（５）と保持ブラケット（１）との間に配される振動絶縁装置（５０）と、を有する日除けであって、前記振動絶縁装置（５０）が、モータ駆動装置（５）を回転に抗するよう固定する支持ヘッド（１１）と、回転方向にて支持ヘッド（１１）と確実に係合する可撓性振動減衰材料製の放射状減衰部材（１６）と、保持ブラケット（１）に回転不能に取り付けられ、回転方向にて放射状減衰部材（１６）と確実に係合する取り付けヘッド（１９）と、を有する。【選択図】図４
2013174124.tif 000002
【特許請求の範囲】
【請求項１】
基礎部材上に配置され、間にテント幕シャフト（３）を回転可能に取り付ける２つの保持ブラケット（１）と、前記テント幕シャフト（３）上に巻き取られ、またはそのシャフト（３）から展開されることが可能な日除けテント幕（４）と、前記テント幕シャフト（３）を回転させるため、前記テント幕シャフト（３）の中に組み込まれ、振動減衰するように前記保持ブラケット（１）の片方に取り付けられるモータ駆動装置（５）とを有する日除けにおいて、完全に前記テント幕シャフト（３）の内部で前記モータ駆動装置（５）と前記保持ブラケット（１）との間に振動絶縁装置（５０）が設けられ、前記振動絶縁装置（５０）が、前記モータ駆動装置（５）を回転に抗するように固定する支持ヘッド（１１）と、回転方向にて前記支持ヘッド（１１）と確実に係合する可撓性振動減衰材料製の放射状の減衰部材（１６）と、前記保持ブラケット（１）に回転不能に取り付けられ、回転方向にて前記放射状の減衰部材（１６）と確実に係合する取り付けヘッド（１９）とを有することを特徴とする日除け。
【請求項２】
前記支持ヘッド（１１）が、前記テント幕シャフト（３）の軸方向（Ａ）に延びる非円形の外部形体部品（１４）であり、前記外部形体部品（１４）に、リング状に閉じられた部品としての前記放射状の減衰部材（１６）が嵌め込まれることを特徴とする請求項１に記載の日除け。
【請求項３】
前記放射状の減衰部材（１６）が、前記テント幕シャフト（３）の軸方向（Ａ）に見た場合、一列に配置される複数の放射状の減衰リング（１６．１〜１６．３）によって形成されることを特徴とする請求項１または２に記載の日除け。
【請求項４】
前記取り付けヘッド（１９）が、前記テント幕シャフト（３）の軸方向（Ａ）に延びる鐘形の内部形体部品であって、内側が非円形の鐘形の内部形体部品であり、リング状に閉じられた部品としての前記放射状の減衰部材（１６）が、前記支持ヘッド（１１）と共に前記内部形体部品の中に差し込まれることを特徴とする請求項１〜３のいずれか一項に記載の日除け。
【請求項５】
前記支持ヘッド（１１）が、ほぼ星形の断面を有する外部形体部品（１４）であり、前記リング状の放射状減衰部材（１６）が、その星形の内側断面によって前記外部形体部品（１４）に嵌め込まれることを特徴とする請求項２に記載の日除け。
【請求項６】
前記取り付けヘッド（１９）が、花形に似た断面を有する内部形体部品の形態の受入れ部（２３）を有し、前記受入れ部（２３）の中に、前記リング状の放射状減衰部材（１６）が、その花形に似た外側断面によって差し込まれることを特徴とする請求項４に記載の日除け。
【請求項７】
前記放射状の減衰部材（１６）の長さ（Ｌ）が、前記モータ駆動装置（５）の円筒状のハウジング（６）の外径サイズより大きく、好ましくは少なくともその２倍である長さを有することを特徴とする請求項１〜６のいずれか一項に記載の日除け。
【請求項８】
前記取り付けヘッド（１９）と前記支持ヘッド（１１）との間に、可撓性の振動減衰材料製の軸方向の減衰部材（１７）が配置されることを特徴とする請求項１〜７のいずれか一項に記載の日除け。
【請求項９】
前記軸方向の減衰部材（１７）が、前記支持ヘッド（１１）の先端側（１８）と、前記取り付けヘッド（１９）の受入れ部（２３）の底面（２２）との間に差し込まれることを特徴とする請求項８に記載の日除け。
【請求項１０】
前記軸方向の減衰部材（１７）が、前記取り付けヘッド（１９）の受入れ部（２３）の内側形体に適合した外側輪郭を有するディスクであることを特徴とする請求項８または９に記載の日除け。
【請求項１１】
前記取り付けヘッド（１９）と、前記支持ヘッド（１１）と、設けられる場合には前記軸方向の減衰部材（１７）とに、それぞれ、前記モータ駆動装置（５）の接続および／または制御ケーブル用の貫通孔（２７）が設けられることを特徴とする請求項１〜１０のいずれか一項に記載の日除け。
【請求項１２】
前記放射状の減衰部材（１６）と、設けられる場合には前記軸方向の減衰部材（１７）が、発泡プラスチック材料製、好ましくはショア硬度３０〜４０の独立気泡の修飾ＰＵ発泡材製であることを特徴とする請求項１〜１１のいずれか一項に記載の日除け。
【請求項１３】
前記発泡プラスチック材料が４０％の圧縮率を有することを特徴とする請求項１２に記載の日除け。
【請求項１４】
前記支持ヘッド（１１）と前記取り付けヘッド（１９）との間に、これら２つの構成要素の間の回転角度を制限するための、好ましくは前記支持ヘッド（１１）に配置された回転ストッパ（２６）が設けられることを特徴とする請求項１〜１３のいずれか一項に記載の日除け。
【請求項１５】
前記テント幕シャフト（３）を担持する取り付けスリーブ（２５）が、前記取り付けヘッド（１９）の上に回転可能に取り付けられることを特徴とする請求項１〜１４のいずれか一項に記載の日除け。
【発明の詳細な説明】
【技術分野】
【０００１】
本発明は、請求項１の前文部分（プリアンブル部分、所謂おいて書き部分）に記述された特徴構成を備えた日除けに関する。
【背景技術】
【０００２】
このタイプの日除けは、以前から知られている基礎的な構造を有する。この基礎構造は、建物の一部に取り付けることができる基礎部材と、それに配置される２つの保持ブラケットと、その間に回転可能に取り付けられるテント幕シャフトと、そのテント幕シャフト上に巻き取とられまたそのシャフトから解かれることが可能な日除けテント幕と、テント幕シャフトを回転させるためにテント幕シャフトの中に組み込まれるモータ駆動装置とを有し、この場合、モータ駆動装置は、保持ブラケットの１つに振動減衰するように取り付けられる。「基礎部材」という用語は、関節アーム式の日除け、温室用日除けまたは窓用日除けのような日除けを、例えば外壁、温室または窓抱き（window reveal）のような建物の一部分に固定できる任意の構成要素を意味する。日除けの設計のために、このタイプの基礎部材は、通常、日除けハウジング、取り付けパネル、取り付けフレームなどを有する。
【０００３】
特に、日除け装置がインテリジェント制御システムによって自動運転される場合には、運転の間に発生する音響が問題になる。日光、風および／または降雨センサーを備えた日除けは、使用者の制御パラメータの設定に応じて、異なった時間に巻き取られあるいは解かれる。この方式によって、例えば、太陽が輝き始めると日除けを自動的に解くことが可能になる。この場合、機械的な駆動装置から生じる騒音は、建物の構造および空気を介して伝達される。この騒音は、建物のテナントにとっては平穏を乱し、あるいは睡眠を妨害することさえあるので極めて不快である。
【０００４】
これまで、日除けおよび日除け駆動装置のさまざまな製造者が、受動的な騒音低減を実現するために機械的駆動装置によるこの騒音を最小化する努力を行ってきた。すなわち、低振動固定軸受（low-vibration fixed bearing）が一般的な優先使用によって知られている。これは、テント幕シャフトの中に組み込まれるモータ駆動装置の保持ブラケットに、エラストマー音響吸収器の形態で一体化され、Ｓｏｍｆｙ ＧｍｂＨ社（７２１０８ Rottenburg／Neckar、ドイツ）の商品名「ｄＢ吸収ブラケット（ｄＢ Absorber Bracket）」、製品番号９０１５２２３として市販されている。この低振動軸受の欠点は、それが日除けの保持ブラケットとモータヘッドとの間に配置される点にある。このため、日除けの所定幅において、テント幕シャフトを短縮する必要があり、その結果、さらに狭いテント幕を使用する必要が生じてそれによって日影の面積が減少する。
【０００５】
騒音低減に関する全く別の考え方が特許文献１に開示されている。このシステムはサウンドアクチュエータを有する騒音影響システムを利用しており、このサウンドアクチュエータは、アクチュエータが作用する日除けの構成要素から発する音響および騒音を低減するように、日除けが巻き取られまたは解かれる際に生じる音響パターンに適合した反対音のパターンを発生する。このシステムは、付加的な音響機器が必要になるので、受動的な振動および騒音減衰システムより遥かに複雑になる。
【先行技術文献】
【特許文献】
【０００６】
【特許文献１】ＤＥ １０ ２０１０ ０２９ ８８１ Ａ１
【発明の概要】
【発明が解決しようとする課題】
【０００７】
上記の先行技術の問題点に基づいて、本発明の目的は、純粋に機械的な騒音低減システムを用いる日除けを、減衰部品を装着する際に日影の面積が減少しないように改善することにある。
【課題を解決するための手段】
【０００８】
この目的は請求項１の特徴部分に記述される特徴によって実現される。それによれば、完全にテント幕シャフトの内部においてモータ駆動装置とその固定用保持ブラケットとの間に配置される振動絶縁装置が設けられる。モータ駆動装置は、テント幕シャフト内において支持ヘッドによって回転に対して保護される。この支持ヘッドと一緒に、可撓性振動減衰材料の放射状の減衰部材が、回転方向においてモータ駆動装置と確実に（強制的に；形状拘束的に）係合する。続いて、このアセンブリは、取り付けヘッドによって保持ブラケットに固定されるが、その場合、その取り付けヘッドは、保持ブラケットに回転しないように配置され、回転方向において減衰ユニットと確実に係合する。
【０００９】
取り付けヘッドと、放射状の減衰部材と、支持ヘッドとが、これらの構成要素の回転方向において相互に確実に係合することによって、テント幕シャフト内に配置されるモータ駆動装置と保持ブラケットとの間の完全な振動の切り離しが実現される。支持ヘッドおよび取り付けヘッドの両者並びに放射状の減衰部材は、テント幕シャフト内において完全に一体化され、これによって、先行技術とは異なって、テント幕シャフトを短縮する必要はなくなる。従って、本発明による日除けを用いると日影の面積は低減されない。
【００１０】
テント幕シャフトを操作する際に生起するモータ駆動装置の支持モーメントは、上記の確実に係合する構成要素を介して保持ブラケットに伝達され、その際、放射状の減衰部材が、その可撓特性によって圧縮される。
【００１１】
本発明の好ましい一実施態様によれば、支持ヘッドが、テント幕シャフトの軸方向に延びる非円形の外部形体部品（外部輪郭体部品）として設計され、放射状の減衰部材−リング状に閉じられた構成要素の形状である−が、前述の外部形体部品にスライドして嵌め込まれる。この放射状の減衰部材は、テント幕シャフトの軸方向に見た場合、一列に配置される複数の放射状の減衰リングによって形成され、従って、取り付け性が改善される。テント幕シャフト内に配置されるので、支持ヘッドおよび取り付けヘッドの両者は、所要の減衰特性に応じて、軸方向に見てより長くまたはより短くすることが可能である。支持ヘッドおよび取り付けヘッドが長くなる程、放射状の減衰部材が長くなり、換言すれば、一列に配置される放射状の減衰リングの個数も多くなる。
【００１２】
本発明の好ましい一実施態様によれば、取り付けヘッドを、−支持ヘッドの場合に類似して、−テント幕シャフトの軸方向に延びる非円形の鐘形の内部形体部品として設計することが可能で、その場合、放射状の減衰部材−リング状に閉じられた構成要素の形状である−が、支持ヘッドと一緒に前記内部形体部品の中に嵌め込まれる。従って、振動絶縁装置のこの３つの構成要素、すなわち、取り付けヘッドと、放射状の減衰部材と、支持ヘッドとは、１つが他方の内部に同軸に配置され、そのため、振動絶縁装置の非常にコンパクトな設計が実現される。
【００１３】
支持ヘッドと放射状の減衰部材との間の特に効率的なトルクの伝達が、この２つの構成部品の断面を星形にすることによって実現可能になり、従って、モータ駆動装置によって印加される駆動トルクの確実な伝達が確保される。
【００１４】
同様に、取り付けヘッドの断面を、放射状の減衰部材の対応する外側断面輪郭を有する花形に似た内部形体部品として設計すると、モータが取り付けられた場合に発生する運動量を最適に伝達するための、この２つの構成要素間の安定的な連結が確保される。
【００１５】
振動絶縁装置の構成要素を同軸に配置することによって、最初は事実上空いているテント幕シャフト内部の大きな空間が最適に利用される。放射状の減衰部材は、減衰特性に関する有利な効果を有するように、円筒状のモータ駆動装置ハウジングの外径サイズの少なくとも２倍である長さを有するべきである。
【００１６】
振動絶縁装置の減衰特性は、取り付けヘッドと支持ヘッドとの間の軸方向の減衰部材によってさらに改善できる。この減衰部材も、同様に可撓性の振動減衰材料製であり、従って、軸方向に延びる支持ヘッドの前端側から振動が伝達されるのを防止する。このため、この軸方向の減衰部材は、前述の先端側と、内部形体部分を形成する受入れ部の底面との間に配置するのが望ましい。この軸方向の減衰部材は、取り付けヘッドの内部の形体に合致する外側輪郭を有するディスクとすることができる。これによって、このディスクを、放射状の減衰部材と全く同様に取り付けヘッドの内部に確実に配置でき、従って、所定位置に確実に保持できる。
【００１７】
取り付けヘッドと、支持ヘッドと、存在する場合には軸方向の減衰部材とには、それぞれ、モータ駆動装置の接続または制御ケーブル用の貫通孔を設けることができ、従って、モータ駆動装置への確実な電力供給と制御とが確保される。
【００１８】
例えば、ショア硬度３０〜４０の独立気泡の修飾ＰＵ発泡材料として設計される発泡プラスチック材料が、本発明の使用に有利なすべてのパラメータを提供する。
【００１９】
別の好ましい実施態様によれば、この発泡プラスチック材料が４０％の圧縮率を有する。すなわち、それは、その発泡構造および可撓性を永久に失うことなく、その当初容積の４０％の大きさに圧縮することが可能である。これによって、放射状および軸方向減衰部材の意図される使用によく適合した減衰挙動がもたらされ、同時に長い稼動寿命が保証される。本発明による振動絶縁装置の耐損耗性は、別の構造的手段によってさらに大きく改善される。それによれば、支持ヘッドおよび取り付けヘッドの間に回転ストッパが設けられる。この場合、この回転ストッパは、この２つの構成要素の間の回転角度を制限するために、支持ヘッドに取り付けることが望ましい。この回転ストッパは、過度の圧縮を防ぎ、従って、支持ヘッドと、放射状の減衰部材と、取り付けヘッドとの間の相対的な捩り動作によって放射状の減衰部材が破壊されるのを防止する。回転ストッパが作動すると直ちに、モータ駆動装置の支持モーメント（shoring moment）が、直接支持ヘッドから取り付けヘッドに伝達され、そのため、放射状の減衰部材が、さらなるトルクの増大およびさらなる圧縮を受けることは全くなくなる。回転ストッパの別の機能は、放射状の減衰部材の損耗または破損が生じた場合に、日除けの正しい機能を維持することにある。回転ストッパによって、放射状の減衰部材が破損した場合でも、モータ駆動装置の曲げトルクの支持ヘッドから取り付けヘッドへの伝達が可能になるので、モータ駆動装置をテント幕シャフトの内部に本質的に回転しないように取り付けることが可能になる。
【００２０】
最後の好ましい実施態様によれば、取り付けスリーブが、テント幕シャフトを担持するために、振動絶縁装置の取り付けヘッド上に回転可能に取り付けられる。従って、取り付けヘッドは、重要な構造上の利点を提供する二重の機能を有する。テント幕シャフトを取り付けヘッドに取り付けスリーブを介して取り付けることによって、テント幕シャフトが最適の偏心位置に確実に支持されることになり、テント幕シャフトの一様かつ円滑な回転運動が促進される。
【００２１】
本発明のさらなる特徴、詳細および利点は、添付の図面による実施態様に関する以下の説明から明らかになるであろう。
【図面の簡単な説明】
【００２２】
【図１】テント幕シャフトの側面から見た日除けの保持ブラケットの側面図である。
【図２】図１の断面線ＩＩ−ＩＩに沿う日除けの断面図である。
【図３】図２の部分ＩＩＩの拡大詳細断面図である。
【図４】振動絶縁装置を有するモータ駆動装置の領域の日除けの分解図である。
【図５】振動絶縁装置の支持ヘッドの側面図である。
【図６】図５の矢印の方向ＶＩから見た支持ヘッドの図である。
【図７】振動絶縁装置の取り付けヘッドの軸方向断面図である。
【図８】図７の矢印の方向ＶＩＩＩから見た取り付けヘッドの図である。
【発明を実施するための形態】
【００２３】
図１〜４を参照すると、部分的に示されている日除けが、詳しくは図示されていない基礎部材上に配置される２つの保持ブラケット１を有する。図には、この２つの保持ブラケット１の内１つだけが記載されている。明確化のため、日除けを家屋の壁面その他に固定するための前記の基礎部材も図においては省略されている。
【００２４】
この日除けは、いくつかの構成要素がハウジング２内に配置されるハウジング日除けである。これらの構成要素として、基本的に、図に示す保持ブラケット１と第２保持ブラケットとの間に取り付けられるチューブ形状のテント幕シャフト３が含まれるが、このテント幕シャフト３は、以下に述べるように、保持ブラケット１に回転可能に取り付けられる。図３に破線で示す日除けのテント幕４は、テント幕シャフト３によって巻き取りおよび解くことが可能である。日除けのテント幕４の伸張および引き込みの動きは、本発明においては重要ではない。それは、例えば、テント幕シャフト３内に配置されるモータ駆動装置５と共に、接合アームおよびドロップアウトバーを用いて行うことができる。
【００２５】
モータ駆動装置５は、電気モータおよび対応して設計される中間ギヤを含み、チューブ形状のハウジング形体６の中に配置される。ハウジング形体６の一方の端部に、いわゆるモータヘッド７が配置され、そのモータヘッド７を介して、モータ駆動装置５が、以下に詳しく説明するように保持ブラケット１に回転不能に取り付けられる。ハウジング形体６の反対側の端部には、テント幕シャフト３に回転自在でなく結合される駆動プレート８が配置される。これによって、日除けのテント幕４を巻き取りまたは解くために、テント幕シャフト３を回転させることができる。
【００２６】
モータヘッド７は、振動絶縁装置を介して保持ブラケット１に連結される。この振動絶縁装置の全体が参照符号５０で示されており、これについて図３〜８によって以下に詳細に説明するが、最良の概要図が図４の分解図に示されている。これらの図によれば、四角部材９がモータヘッド７に取り付けられ、この四角部材９は、テント幕シャフト３の軸方向にモータヘッドから突き出ており、ボルト１０によってそれに固定される。内側の四角部分を有する参照符号１１の支持ヘッドが四角部材９の上に嵌め込まれ、その結果、支持ヘッド１１と、四角部材９と、モータヘッド７とが相互に回転自在でなく連結される。支持ヘッド１１は、そのディスク形状の基部１３から始まる非円形の外部形体部分１４を有し、その外部形体部分１４は、テント幕シャフト３の軸方向Ａに延びており、かつ、図６に示すようなほぼ星形の断面を有する。個々の「ビーム」は、対応する軸方向に平行なウェブによって形成される。
【００２７】
外部形体部分１４を含むこの支持ヘッド１１に、３つの放射状の減衰リング１６．１〜１６．３が装着される。この放射状の減衰リング１６．１〜１６．３は、それぞれ、支持ヘッド１１の外部形体部分１４の上に相前後して嵌め込まれる星形の内側断面を有する。放射状の減衰リング１６．１〜１６．３は、共同して、回転方向に見た場合に支持ヘッド１１と確実に係合する放射状の減衰部材１６を形成する。
【００２８】
軸方向の減衰部材１７は、支持ヘッド１１の先端側１８の前面に配置される対応ディスクであって、放射状の減衰リング１６．１〜１６．３と同様に可撓性の振動減衰材料から形成される対応ディスクによって形成される。適切な材料は、例えば、ショア硬度３０〜４０の独立気泡の修飾ポリウレタン発泡材である。
【００２９】
振動絶縁装置５０は、最後に取り付けヘッド１９によって完成される。この取り付けヘッド１９は、別の四角部材２１を介して固定ボルト２０によって保持ブラケット１に固定される。取り付けヘッド１９は、テント幕シャフト３の軸方向Ａに延びる内部形体部分を備えた鐘形の構成要素である。この内部形体部分は花形に似た内側断面を有し、その内側断面の中に、その内部形体部分の内側断面に合致する花形に似た外側断面を同様に有する放射状の減衰部材１６が嵌め込まれる。換言すれば、取り付けヘッド１９および放射状の減衰部材１６は、半径方向において確実に互いに係合する。図３を参照すると、軸方向の減衰部材１７は、取り付けヘッド１９内において、支持ヘッド１１の先端側１８と、内部形体部分を形成する受入れ部２３の底面２２との間に配置される。
【００３０】
この図は、３つの減衰リング１６．１〜１６．３から形成される放射状の減衰部材１６の長さＬが、モータ駆動装置５の外径より遥かに大きいこと、あるいは、テント幕シャフト３とほぼ同じ直径の長さを有することをも示している。必要であれば、支持ヘッド１１と、放射状の減衰部材１６と、取り付けヘッド１９とは、軸方向Ａにおいてさらに長い長さを有することができる。それは、テント幕シャフト３が、駆動プレート８の側では事実上空いているので、モータ駆動装置５を、この方向に、すなわち、図３および４によれば右側にさらに大きく動かすことが可能であるからである。
【００３１】
取り付けヘッド１９の円筒状の外面２４の上に、取り付けスリーブ２５が回転可能に取り付けられる。この取り付けスリーブ２５は、こちらの側に設けられるテント幕シャフト３のチューブ状の開口の中に差し込まれる。すなわち、この端部においては、テント幕シャフト３は、取り付けヘッド１９の上に、従って保持ブラケット１に、回転可能に取り付けられる。
【００３２】
取り付けヘッド１９と、支持ヘッド１１と、軸方向の減衰部材１７とは、それぞれ、モータ駆動装置５の接続および／または制御ケーブル用の貫通孔２７を有する。
【００３３】
特に図５を参照すると、支持ヘッド１１に回転ストッパ２６が設けられる。この回転ストッパ２６は、支持ヘッド１１の外部形体部分１４から膨出する花形に似た膨らみとして設計され、支持ヘッド１１の基部１３の前面に形成される。前述の回転ストッパ２６の外側輪郭は、その周囲に沿って、取り付けヘッド１９の受入れ部２３の内側輪郭に対して、僅かに内側に変位しており、その結果、これら２つの輪郭の間には数ミリメートルの空気間隙が存在する。
【００３４】
モータ駆動装置５によってトルクが支持ヘッド１１に印加されると、支持ヘッド１１および取り付けヘッド１９と確実に係合している放射状の減衰部材１６が周囲方向に圧縮され、反力が生じる。これによって、モータ駆動装置５が、回転自在でなく取り付けられ、放射状の減衰部材１６および軸方向の減衰部材１７によって減衰されることが確実に実現される。これらの減衰部材は、保持ブラケット１およびテント幕シャフト３を、モータ駆動装置５からのあらゆる振動に対して確実に絶縁する。もし何らかの理由で、モータ駆動装置５によって印加されるトルクが、放射状の減衰部材１６の過度の圧縮を惹起するような値に達した場合には、回転ストッパ２６が、特定の角度だけ回転した後に取り付けヘッド１９の受入れ部２３の内側輪郭に当接し、放射状の減衰部材１６がさらに圧縮されることはなくなる。その場合、支持ヘッド１１は、直接取り付けヘッド１９によって支持される。このプロセスは、放射状の減衰部材１６が長い時間の間に多孔質になって時間に経過によりその構造を喪失した場合にも生起する。
【００３５】
最後に、本発明による振動絶縁装置５０は、同様の設計において、駆動プレート８とテント幕シャフト３との間にも配置可能である点に留意するべきである。
【符号の説明】
【００３６】
１          保持ブラケット
２          ハウジング
３          テント幕シャフト
４          テント幕
５          モータ駆動装置
６          ハウジング形体
７          モータヘッド
８          駆動プレート
９          四角部材
１０        ボルト
１１        支持ヘッド
１３        支持ヘッドの基部
１４        外部形体部分
１６        放射状の減衰部材
１６．１    放射状の減衰リング
１６．２    放射状の減衰リング
１６．３    放射状の減衰リング
１７        軸方向の減衰部材
１８        支持ヘッドの先端側
１９        取り付けヘッド
２０        固定ボルト
２１        四角部材
２２        取り付けヘッドの受入れ部の底面
２３        取り付けヘッドの受入れ部
２４        取り付けヘッドの外面
２５        取り付けスリーブ
２６        回転ストッパ
２７        貫通孔
５０        振動減衰装置
Ａ          テント幕シャフトの軸方向
Ｌ          放射状の減衰部材の長さ
【図１】
2013174124.tif 000003
【図２】
2013174124.tif 000004
【図３】
2013174124.tif 000005
【図４】
2013174124.tif 000006
【図５】
2013174124.tif 000007
【図６】
2013174124.tif 000008
【図７】
2013174124.tif 000009
【図８】
2013174124.tif 000010